(57)【要約】【課題】装置カバーにインターロック機能を備えることで、追加依頼待ち状態では機構動作を行わず、追加依頼が発生した時点で機構動作を再開する。【解決手段】血液，尿などの生体サンプルの定性，定量分析を行う自動分析装置において、分析部の機構部に機構動作中はユーザのアクセスを制限するインターロック機能付きのカバーを配置させ、機構停止位置に変化が発生しないようにさせることで、分析待機中は機構動作を行わないが、追加依頼発生時には、準備動作無しで分析を開始する。【選択図】  図１
2012026814.tif 000002
【特許請求の範囲】
【請求項１】
分析を実行しているオペレーション状態と、分析を停止し、メンテナンス可能なスタンバイ状態との間に、すぐに分析動作の再開が可能な分析待機状態を設定可能な自動分析装置において、
該分析待機状態の間、分析待機状態であることを報知する報知手段を備えたことを特徴とする自動分析装置。
【請求項２】
請求項１記載の自動分析装置において、
前記報知手段は、
自動分析装置の少なくとも１部に、自動分析装置の機構部に手が触れられないようにしたカバーと、前記分析待機状態の間は、該カバーが開かないように制御する制御機構であることを特徴とする自動分析装置。
【請求項３】
請求項１または２記載の自動分析装置において、
前記分析待機状態の間は、反応容器の洗浄動作を含む動作を停止するように制御する制御機構を備えたことを特徴とする自動分析装置。
【請求項４】
請求項１記載の自動分析装置において、
自動分析装置への試料の設置を認識する認識機構を備え、該認識機構が試料の設置を認識した場合は、前記分析待機状態が解除され、オペレーション状態に遷移するように制御する制御機構を備えたことを特徴とする自動分析装置。
【請求項５】
請求項１記載の自動分析装置において、
前記分析待機状態が継続する時間を設定する設定機構を備え、該設定機構が設定した時間を過ぎたときは、自動分析装置がスタンバイ状態に遷移するように制御する制御機構を備えたことを特徴とする自動分析装置。
【発明の詳細な説明】
【技術分野】
【０００１】
本発明は、血液，尿などの生体サンプルの分析を行う自動分析装置に係り、特に、試料分析待ちのスタンバイ状態に遷移する機能を備えた自動分析装置に関する。
【背景技術】
【０００２】
自動分析装置により正しい分析結果を得るためには、装置のメンテナンスと試薬，洗剤といった各種消耗品の補充が必要であり、これらは装置が停止しているスタンバイ状態において、オペレータにより行われる。スタンバイ状態においては、オペレータが分注ノズル清掃など、メンテナンスを行ったことにより、機構が不定の位置に移動している可能性がある。このため、スタンバイ状態に遷移した自動分析装置の分析を再開する場合は、まず機構を所定位置（ホームポジション）に戻す動作を行い、さらに各種消耗品の架設量を確認するといった作業がある。このため、分析開始指示を受けた後、試料の分析を開始するまでに待ち時間が発生する。このような分析中（オペレーション）−スタンバイ状態については特許文献１に記載されている。更に、分析装置が一旦スタンバイ状態に遷移してしまうと、上記のような分析を開始するまえに待ち時間が発生するため、分析が終了してもしばらくの間はスタンバイ状態に遷移しないよう、分析待機状態を維持する技術も知られている。
【先行技術文献】
【特許文献】
【０００３】
【特許文献１】特開平１０−１４２２３０号公報
【発明の概要】
【発明が解決しようとする課題】
【０００４】
分析待機状態を設け、分析依頼試料があればすぐに分析状態に遷移する機能は便利であるが、外見上は、分析待機状態であっても、スタンバイ状態であっても同様に見えるため、オペレータがスタンバイ状態であると勘違いして、メンテナンスのため、各機構を動かしたり、試薬を交換したりする可能性があった。そのような場合、装置は各機構がホームポジションにあると認識しており、また試薬容器が交換されていないものとして分析動作を再開するため、動作に不具合が発生したり、異なる試薬を使用して分析される懸念があった。
【０００５】
本発明の目的は、このような分析待機状態を有する自動分析装置であっても、動作に不具合が発生せず、正しい分析が実行される自動分析装置を提供することにある。
【課題を解決するための手段】
【０００６】
上記目的を達成するための本発明の構成は以下の通りである。
【０００７】
分析を実行しているオペレーション状態と、分析を停止し、メンテナンス可能なスタンバイ状態との間に、すぐに分析動作の再開が可能な分析待機状態を設定可能な自動分析装置において、該分析待機状態の間、分析待機状態であることを報知する報知手段を備えた自動分析装置。
【０００８】
分析待機状態であることを報知する手段の１つとして、自動分析装置の分析動作中に装置カバーが開かないようロックすることがある。また、装置カバーの開閉状態を監視する機能をもち、動作中に装置カバーが開けられた場合には機構部への電源供給を遮断し動作しないようにするインターロック機構を備えても良い。また、オペレータがソフトスイッチにより分析開始前もしくは分析中に依頼された試料の分析が終了した場合、分析状態を継続させることを設定可能とし、さらに分析中に前記の分析継続設定を解除する機能を備えても良い。
【発明の効果】
【０００９】
分析待機状態を設け、分析依頼試料があればすぐに分析状態に遷移する機能を備えた自動分析装置であっても、動作に不具合が発生せず、正しい分析が実行される自動分析装置を提供することにある。
【図面の簡単な説明】
【００１０】
【図１】フローチャート。
【図２】インターロック機構と装置カバーの関係を示す図。
【発明を実施するための形態】
【００１１】
以下、本発明の一例を示す実施形態について図面を参照して説明する。
【００１２】
インターロック機構５０１は装置状態に連動してロックもしくはロック解除を行う機構をソフト制御し、特開２００８−２１６１７３号公報のように試薬庫のみではなく反応ディスク、分注機構等を含む分析部の機構部全体を覆う装置上面カバー５０２の開閉制御を行う。これにより、分析中など機構動作を伴う場合には、機構部へのオペレータのアクセスが不可能とする。
【００１３】
スタンバイ状態１０１にて、オペレータは消耗品の補充などの作業により装置機構部へアクセスを行う可能性があり、この際に装置機構部は所定の位置から動かされている可能性がある。分析開始のための準備が整った時点で、オペレータは分析開始指示１０３を行うが、分析を開始する前に、オペレータは追加試料の待機有無の設定１０２が可能とする。
【００１４】
分析指示を受けた分析装置は、各機構について、所定位置への移動動作および装置上の消耗品の架設量の確認などの準備動作２０１を行った後、分析動作２０２を開始する。分析装置は装置に架設された全ての試料について分析動作２０２が完了したかを依頼と認識した試料により行われる判断２０３により、終了と判断された場合、追加試料の待機有無の設定に従い判断２０４を行い、待機設定が無効の場合には分析に関与した機構についての洗浄動作４０１を行い、スタンバイ状態４０２に遷移する。
【００１５】
待機設定が有効の場合には、機構部は所定位置での動作待機である分析待機状態２０５となり、追加分析依頼２０６を所定時間が経過する２０７まで分析待機状態２０５を維持する。分析待機状態２０５中に、追加依頼が発生した場合、機構部はインターロック機能を備えた装置カバーによりオペレータによるアクセスがされないため装置は各機構の停止位置を正し認識しているため、機構部は準備動作無しに動作を再開することが可能となり、分析動作２０２へ遷移する。
【００１６】
ここで、分析開始指示１０３以降から分析待機終了時間までの任意の時間帯３０１の中で、追加試料の待ち時間有効無効の設定を可能とすることで、分析開始時には予見できなかった追加依頼に対応することや、以後の追加依頼が発生しないことが確定した時点で、設定を無効にすることで、待ち時間なく洗浄動作へ遷移することが可能となる。
【符号の説明】
【００１７】
１０１  スタンバイ状態
１０２  追加試料の待ち時間有効無効設定
１０３  分析開始指示入力
２０１  分析開始のための準備動作
２０２  試料の分析動作
２０３  依頼項目の分析終了の判定
２０４  追加試料の待ち時間に関する設定の判定
２０５  分析待機時間
２０６  追加試料有無の判定
２０７  追加試料待ち状態に遷移した後の経過時間の判定
３０１  追加試料の待ち時間有効無効設定の変更可能時間帯
４０１  分析終了後の洗浄動作
４０２  スタンバイ状態
５０１  装置カバーのロック機構
５０２  装置カバー
【図１】
2012026814.tif 000003
【図２】
2012026814.tif 000004